(57)【要約】【課題】冷蔵庫本体を水平に設置することができるようにした冷蔵庫高さ調整用具及び冷蔵庫扉段差調整方法を提供する。【解決手段】冷蔵庫の設置場所床面と、冷蔵庫の後方キャスター又は前面側の調整脚との間に挟んで用いられる冷蔵庫高さ調整用具８。冷蔵庫高さ調整用具８は、平面形状が方形を成し、３辺８ａ〜８ｄが中央部８ｅに対して凸状に隆起しており、中央部８ｅに一つ又は複数の調整用具Ａ９、Ｂ１０を載置して上面の高さを変更可能とした。【選択図】図２
2008051440.tif 000002
【特許請求の範囲】
【請求項１】
冷蔵庫の設置場所床面と、冷蔵庫の後方キャスター又は前面側の調整脚との間に挟んで用いられることを特徴とする冷蔵庫高さ調整用具。
【請求項２】
平面形状が方形を成し、その少なくとも２辺が中央部に対して凸状に隆起していることを特徴とする請求項１記載の冷蔵庫高さ調整用具。
【請求項３】
中央部に凹部が形成されていることを特徴とする請求項１記載の冷蔵庫高さ調整用具。
【請求項４】
前記中央部に一つ又は複数の調整用プレートを載置して上面の高さを変更可能としたことを特徴とする請求項２又は３記載の冷蔵庫高さ調整用具。
【請求項５】
周囲の少なくとも１辺が、端から前記中央部に向かって高くなるように傾斜していることを特徴とする請求項２〜４の何れかに記載の冷蔵庫高さ調整用具。
【請求項６】
前記調整用具の下面に保護シートが取り付けられていることを特徴とする請求項１〜５の何れかに記載の冷蔵庫高さ調整用具。
【請求項７】
両開き扉形式の冷蔵庫の内、左側にヒンジのある冷蔵室左側扉の右側が下がっているときには右後方のキャスターに、或いは、右側にヒンジのある冷蔵室右側扉の左側が下がっているときには左後方のキャスターに、請求項１〜６の何れかに記載の冷蔵庫高さ調整用具を挟むことを特徴とする冷蔵庫扉段差調整方法。
【発明の詳細な説明】
【技術分野】
【０００１】
本発明は、冷蔵庫本体を水平に設置するための冷蔵庫高さ調整用具及び冷蔵庫扉段差調整方法に関するものである。
【背景技術】
【０００２】
従来、設置製品の転倒、横滑りを防止するためのキャスター支持台として、例えば「板状の台板と、台板の上面に立ち上がる側板が平面視略コ字状に形成された収容部材と、収容部材の開口を、開閉自在に閉止する固定部材とを備え、台板の底面に粘着力及び粘弾性を有する衝撃吸収材を配し、キャスターを収容部材の開口を通過させて収容部材に収容し、収容部材と固定部材とにより、キャスターを台板に挟着させ、キャスターを挟着させた台板を、衝撃吸収材を介して、床面に固定・支持してなる…。」というものが提案されている（例えば、特許文献１参照）。また、機器を設置する際に水平に設置するための調整用具として、例えば「冷蔵庫等の機器を設置する際に、その水平レベルを調整するために使用されるスペーサであって、板状に形成された厚み寸法の異なる複種類複数のライナ(20,21)が、ヒンジ(24)を介して相互に連結された一枚のプレート(30)で構成され、前記ヒンジ(24)は、相互に連結したライナ(20,21)を連結状態を維持したままで折り曲げによる重ね合わせを許容すると共に、分離可能に設定されていることを特徴とするレベル調整用スペーサ。」というものが提案されている（例えば、特許文献２参照）。
【０００３】
また、従来の冷蔵庫扉（両開き扉）の段差調整は、冷蔵庫前面に左右に設置されている調整脚にて調整を行っている。以下図を参照しながら従来の扉調整の一例について説明する。
【０００４】
図４及び図５は、従来の冷蔵庫の扉調整の説明図及び調整脚の詳細図である。図４及び図５において、冷蔵庫本体１は、冷蔵室左側扉２及び冷蔵室右側扉３を備えており、更に、冷蔵庫前面下部に設置されている左側調整脚４及び右側調整脚５を備えている。これらの調整脚４，５の後方には調整脚キャスター６が取り付けられている。
【０００５】
以上のように構成された冷蔵庫扉の段差調整について説明する。
据付場所が水平でない又は脚が重みで沈み込むなどの要因で扉に段差が発生し、扉が下がって見えるような場合には、冷蔵庫本体１の前面左右に設置されている調整脚４，５を調整し扉の上下位置の調整を行う。例えば、両開き扉形式の冷蔵庫右側扉３が下がっているときは、調整脚５を図示矢印方向に回し押し上げる。そのときには調整脚５を床につけ調整脚キャスター６が浮くまで回す。また、冷蔵庫左側扉２が下がっているときは、調整脚４を図示矢印方向に回し押し上げる。
【０００６】
【特許文献１】特開２０００−１３９５９７号公報（要約、図１）
【特許文献２】特開平０８−１００９８３号公報（請求項１、図１）
【発明の開示】
【発明が解決しようとする課題】
【０００７】
従来の特許文献１に記載されているものは、冷蔵庫の調整器具としては、形状が大きく下面に設置して上下の調整を行うことは出来ない。また、特許文献２に記載されているものは、上下の調整は出来るが、家庭用冷蔵庫を載せるには載せにくく、また微妙な調整には不向きであるなどの問題点がある。
【０００８】
また、両開き扉形式の冷蔵庫は特に扉段差が目立ち易く、また、軟質な床材等が台所の床に使用されていると凹凸が出来易く、それがもとで扉の段差が生じ易くなっている。さらに、従来の扉の段差調整は、冷蔵庫が設置されている床の前面の歪みに対してのみの調整しか出来なく、背面側の歪みについては調整することが出来ないという問題点があった。
【０００９】
本発明は、上記のような課題を解決するためになされたものであり、冷蔵庫本体を歪みのない水平に設置することができるようにした冷蔵庫レベル調整用具及び冷蔵庫段差調整調整方法を提供することを目的とするものである。
【課題を解決するための手段】
【００１０】
本発明に係る冷蔵庫高さ調整用具は、冷蔵庫の設置場所床面と、後方キャスター又は前面側の調整脚との間に挟んで用いられるものである。
【発明の効果】
【００１１】
本発明に係る冷蔵庫高さ調整用具は、冷蔵庫の設置場所床面と、後方キャスター又は前面側の調整脚との間に挟んで用いられ、冷蔵庫本体を歪みのない水平に設置し、従来調整が不可能だった冷蔵庫背面側の床の歪みを矯正し、例えば両開き扉形式の冷蔵庫に適用した場合には冷蔵室扉の段差を解消することが可能になっている。
【発明を実施するための最良の形態】
【００１２】
図１は、本発明の実施の形態１に係る冷蔵庫高さ調整用具を冷蔵庫の下部に設置した状態を示す斜視図であり、図２は、冷蔵庫高さ調整用具の斜視図である。冷蔵庫本体１は、正面左側にヒンジのある冷蔵室左側扉２及び正面右側にヒンジのある冷蔵室右側扉３を備えており、更に、冷蔵庫前面側下部に設置されている左側調整脚４及び右側調整脚５を備えている。これらの調整脚４，５の後方には調整脚キャスター６がそれぞれ取り付けられている。また、冷蔵庫本体１の背面側には後方キャスター７が左右にそれぞれ設置されている（図１においては右側のもののみが図示されている。）。そして、この後方キャスター７と床面との間に冷蔵庫高さ調整用具（以下、高さ調整用具という）８が設置される。この高さ調整用具８は、冷蔵庫本体１を歪みのない水平に設置し、扉段差調整を行うことを目的とするものであり、また、その高さを微調整するための用具として例えば厚さの異なる調整用具Ａ９及び調整用具Ｂ１０を利用することができる。また、高さ調整用具８の下面には床傷つけ防止のための保護シート１１が取り付けられている。なお、調整用具Ａ９及び調整用具Ｂ１０は本発明の調整プレートに相当するものである。
【００１３】
高さ調整用具８は、平面形状が方形をなしており、冷蔵庫の後方キャスター７を載せ易くする為に周囲の１辺８ａが、端から中央に向かって高くなるように傾斜して構成されている。その間口も後方キャスター７の幅の倍以上に扇状に広がっている。なお、このような傾斜面は高さ調整用具８の２辺に設けるようにしてもよい。冷蔵庫の下面と床の間が狭い（10ｍｍ前後）ので、設置し易くする為に、高さ調整用具８の厚さは例えば最大７ｍｍ以下とする。また、高さ調整用具８は、調整用具Ａ９及び調整用具Ｂ１０の設置を可能にする為に、３方の辺部８ｂ〜８ｄが中央部８ｅに対し凸状に隆起した形状に構成されている。換言すれば、高さ調整用具８の中央部８ｄには凹部が形成されており、その凹部に調整用具Ａ９及び調整用具Ｂ１０を載置することにより上面の高さが変更可能に構成されている。なお、高さ調整用具８において、上記の凸状に隆起する形状は少なくとも２辺あれば上記の調整用具Ａ９、Ｂ１０の設置が可能である。
【００１４】
次に、冷蔵庫高さ調整用具８の使用例（冷蔵庫段差調整調整方法）について説明する。
設置された冷蔵庫の冷蔵室扉に段差が発生した場合に扉の段差調整を行う必要が生じた場合には、上記の冷蔵庫高さ調整用具８を使用する。
（ａ）まず、冷蔵庫本体１を設置し、冷蔵室扉が下がり冷蔵室左側扉２と冷蔵室右側扉３との間に段差（発生段差）が発生しているかどうかを目視等により確認する（図４参照）。段差（発生段差）が認められた場合には、手前の調整脚４，５を緩めて、キャスター６，６を利用して冷蔵庫本体１を手前側に引き出す。
（ｂ）例えば正面左側（左側にヒンジのある）の冷蔵室左側扉２の右側が下がっている場合には（図４参照）、冷蔵庫本体１の右後方に高さ調整用具８を設置する。この調整用具８を設置する場所は、図３に示されるように、前後方向は冷蔵庫を設置する背面の壁に突き当て、左右方向は冷蔵庫右側面の延長線上に置く。
【００１５】
ここで、冷蔵室左側扉２の右側が下がっている場合に冷蔵庫本体１がどのようになっているかを説明する。冷蔵庫本体１は、通常の状態では、左右の調整脚４，５と左右の後方キャスター７，７との４点で支持されているが、仮に、冷蔵庫本体１の右側後方の床面が下がっていて右側の後方キャスター７が浮いている状態になると、即ち３点支持の状態になっていると、４点支持に移行するように、冷蔵庫本体１が微小ではあるが撓む。この冷蔵庫本体１の撓みは冷蔵室右側扉３の全体を引き上げるという現象を引き起こす。その結果、冷蔵室左側扉２の右側が下がって見えることになる。換言すれば、冷蔵室左側扉２の右側が下がって見えるときには、冷蔵庫本体１の右側後方の床面が下がっている状態になっていることを意味しており、上記の図３に示されるような位置に高さ調整用具８を設置することになる。
【００１６】
（ｃ）この高さ調整用具８を上記の位置に設置したら、冷蔵庫本体１を元の場所に戻し、右側の後方キャスター７を調整用具８の上に載せる。
（ｄ）冷蔵室左側扉２と冷蔵室右側扉３との段差を再確認し、段差がまだ調整しきれず再調整の必要があれば、上記（ａ）の処理により冷蔵庫本体１を手前側に引き出し、例えば必要に応じて調整用具Ａ９、Ｂ１０を高さ調整用具８の中央部１ｅに載置して高さの調整を行う（調整代は、例えば２ｍｍ〜６ｍｍまで可能である。）。なお、調整の目安としては、発生段差の１／２の量を補正する（実機測定データによる）。そして、上記（ｃ）の処理を行って冷蔵庫本体１を元の場所に戻す。このような処理を冷蔵室左側扉２と冷蔵室右側扉３との間に段差がなくなるまで繰り返す。
【００１７】
なお、上記の説明においては、冷蔵室左側扉２の右側が下がっている場合の例について説明したが、冷蔵室右側扉３の左側が下がっている場合においても同様にしてなされる。その場合には、左側後方に高さ調整用具８を配置して、高さ調整用具８に左側の後方キャスター７を乗り上げるにようにする。このときも、必要に応じて、調整用具Ａ９、Ｂ１０を冷蔵庫高さ調整用具８に載置して高さの調整を行う。
【００１８】
また、上記の説明においては、冷蔵室左側扉２又は冷蔵室右側扉３が下がっている場合の例について説明したが、冷蔵庫本体１が前後に傾斜した場合に、例えば後側に傾斜した場合（後側が下がっている状態）には、２個の冷蔵庫高さ調整用具８を後方に配置し、左右の後方キャスター７を冷蔵庫高さ調整用具８に乗り上げるようにして調整し、また、例えば前側に傾斜した場合（前側が下がっている状態）には冷蔵庫の左側調整脚４及び右側調整脚５を締めて押し上げて高さ調整を行う。このときに、冷蔵庫の左側調整脚４及び右側調整脚５による高さ調整では充分でないときには、上記の場合と同様に、高さ調整用具８を設置して高さ調整を行う。
【００１９】
また、上記の説明においては、両開き扉形式の冷蔵庫の例について説明したが、片開き扉形式の冷蔵庫にも同様に適用することができる。その場合には、冷蔵庫本体１の傾斜に着目して高さ調整用具８を設置して高さ調整を行う。
また、上記の説明においては、冷蔵庫高さ調整用具８の平面形状が方形をなしており、その３方の辺部８ｂ〜８ｄが中央部８ｅに対し凸状に隆起した形状に構成されている例について説明したが、その平面形状は方形に限定されるものではなく、任意の形状をとり得るものであり、中央部８ｅに凹部分が形成されているものであれば他の形態であってもよい。
【００２０】
以上のように本実施の形態に係る冷蔵庫高さ調整用具８は、冷蔵庫の設置場所床面と、後方キャスター７又は冷蔵庫の左側調整脚４，右側調整脚５との間に挟んで用いられることにより、従来調整が不可能だった冷蔵庫背面側の床の歪みを矯正し、冷蔵庫本体１を水平に設置することができ、両開き扉形式の冷蔵庫の場合にはその左右の扉の段差が解消される。
また、冷蔵庫高さ調整用具８は、平面形状が方形を成し、３辺部８ｂ〜８ｄ（少なくとも２辺）が中央部８ｅに対して凸状に隆起しており（又は中央部８ｅに凹部が形成されており）、中央部８ｅに１又は複数の調整用具Ａ９、調整用具Ｂ１０を載置して上面の高さを変更可能としたので、高さの微調整が可能になっている。
また、冷蔵庫高さ調整用具８は、少なくともその１辺８ａが、端から中央に向かって高くなるように傾斜しており、後方キャスター７を載せ易くなっている。
また、冷蔵庫高さ調整用具８は、その下面に保護シート１１が取り付けられており、床面に疵が付かないようにして床面を保護している。
また、両扉形式の冷蔵庫の内、冷蔵室左側扉２の右側が下がっているときには右後方のキャスターに、或いは、冷蔵室右側扉３の左側が下がっているときには左後方のキャスターに高さ調整用具８を挟むことにより、冷蔵庫本体１を水平に設置し、冷蔵庫扉２，３の段差を解消することができる。
【図面の簡単な説明】
【００２１】
【図１】本発明の実施の形態１における設置例を示す斜視図である。
【図２】本発明の実施の形態１における実施例を示す斜視図である。
【図３】本発明の実施の形態１における設置位置を示す図である。
【図４】従来の扉調整を行う説明図である。
【図５】従来冷蔵庫における扉調整の調整脚詳細図である。
【符号の説明】
【００２２】
１  冷蔵庫本体、２  冷蔵室左側扉、３  冷蔵室右側扉、４  左側調整脚、５  右側調整脚、６  調整脚キャスター、７  後方キャスター、８  冷蔵庫高さ調整用具、９  調整用具Ａ、１０  調整用具Ｂ、１１  保護シート。
【図１】
2008051440.tif 000003
【図２】
2008051440.tif 000004
【図３】
2008051440.tif 000005
【図４】
2008051440.tif 000006
【図５】
2008051440.tif 000007